(57)【要約】【課題】迅速かつ容易にその取付けを行うことができるエレベーター調速機の試験装置の提供。【解決手段】エレベーター調速機１の綱車１ｂに当接される回転ローラー３ａを有し、この回転ローラー３ａを介し綱車１ｂの速度を検出する速度検出器３と、速度検出器３を保持する速度検出器保持具４とを備えたエレベーター調速機の試験装置において、前記速度検出器保持具４は、前記エレベーター調速機１のフレーム１ａの両側縁部１１ａに変位可能に係合し取付けられる一対の折曲げ部５を有して構成。【選択図】図１
2006117359.tif 000002
【特許請求の範囲】
【請求項１】
エレベーター調速機の綱車に当接される回転ローラーを有し、この回転ローラーを介し前記綱車の速度を検出する速度検出器と、前記速度検出器を保持する速度検出器保持具とを備えたエレベーター調速機の試験装置において、
前記速度検出器保持具は、前記エレベーター調速機のフレームの両側縁部に変位可能に係合し取付けられる一対の折曲げ部を有して構成したことを特徴とするエレベーター調速機の試験装置。
【請求項２】
請求項１に記載のエレベーター調速機の試験装置において、
前記速度検出器保持具は、前記エレベーター調速機のフレームの上縁部に当接し垂直方向の位置決めを行うストッパー部とを有して構成したことを特徴とするエレベーター調速機の試験装置。
【請求項３】
請求項１もしくは請求項２に記載のエレベーター調速機の試験装置において、
前記速度検出器保持具は、少なくとも１つのネジ孔と、このネジ孔に螺合するとともに螺進することにより前記フレームに当接し突っ張り固定を行う少なくとも１つのネジとを有して構成したことを特徴とするエレベーター調速機の試験装置。
【請求項４】
請求項１に記載のエレベーター調速機の試験装置において、
前記速度検出器保持具は、前記フレームへの取付け部となる速度検出器保持具フレームと、この速度検出器保持具フレームに対し相対位置が可変となるよう取付けられ複数の位置で前記回転ローラーを前記綱車へ当接させる速度検出器保持台とを有して構成したことを特徴とするエレベーター調速機の試験装置。
【請求項５】
請求項４に記載のエレベーター調速機の試験装置において、
前記速度検出器保持台は、前記速度検出器を固定する面ファスナーを少なくとも１つ有して構成したことを特徴とするエレベーター調速機の試験装置。
【発明の詳細な説明】
【技術分野】
【０００１】
本発明は、エレベーター調速機の試験装置に係り、特に、速度検出器により調速機の綱車の速度を検出するエレベーター調速機の試験装置に関する。
【背景技術】
【０００２】
従来、エレベーター調速機の試験装置としては、その速度検出器を保持する速度検出器保持具を、調速機フレームに小型万力によって固定される基台板と、この基台板に回動自在に支持されるアームと、このアームに取付けられ速度検出器をボルト機構にて把持する把持部材とを備えて構成したものが知られていた（例えば、特許文献１参照）。
【特許文献１】特開平７−２２３７８４号公報（段落番号００１４〜段落番号００１８、図１〜図３）
【発明の開示】
【発明が解決しようとする課題】
【０００３】
しかし、前記提案された速度検出器保持具では、ボルト機構にて把持部に固定するために、取付け作業が煩雑であるという問題があった。また、小型万力で固定するために取付け位置が不明確であり、調整が面倒であるという問題があった。
【０００４】
本発明は、上述した問題点に鑑みてなされたもので、その目的は、迅速かつ容易にその取付けを行うことができるエレベーター調速機の試験装置を提供するにある。
【課題を解決するための手段】
【０００５】
前記目的を達成するため、請求項１に係る本発明は、エレベーター調速機の綱車に当接される回転ローラーを有し、この回転ローラーを介し前記綱車の速度を検出する速度検出器と、前記速度検出器を保持する速度検出器保持具とを備えたエレベーター調速機の試験装置において、前記速度検出器保持具は、前記エレベーター調速機のフレームの両側縁部に変位可能に係合し取付けられる一対の折曲げ部を有して構成したことを特徴とする。
【０００６】
本発明によれば、一対の折曲げ部を、前記エレベーター調速機のフレームの両側縁部に係合させるだけで、迅速かつ容易にエレベーター調速機の試験装置の取付けを行うことができる。
【０００７】
さらに、請求項２に係る本発明は、前記速度検出器保持具は、前記エレベーター調速機のフレームの上縁部に当接し垂直方向の位置決めを行うストッパー部とを有して構成したことを特徴とする。
【０００８】
本発明によれば、前記一対の折曲げ部を前記フレーム側縁部に係合させ、フレームの上縁部にストッパー部を当接させれば、迅速かつ容易に垂直方向の位置が決まった状態でエレベーター調速機の試験装置の取付けを行うことができる。
【０００９】
さらに、請求項３に係る本発明は、前記速度検出器保持具は、少なくとも１つのネジ孔と、このネジ孔に螺合するとともに螺進することにより前記フレームに当接し突っ張り固定を行う少なくとも１つのネジとを有して構成したことを特徴とする。
【００１０】
本発明によれば、請求項1、２の発明の取付け方法に加えて、ネジによる突っ張り固定を行うためより強固にエレベーター調速機の試験装置の取付けを行うことができる。
【００１１】
さらに、請求項４に係る本発明は、前記速度検出器保持具は、前記フレームへの取付け部となる速度検出器保持具フレームと、この速度検出器保持具フレームに対し相対位置が可変となるよう取付けられ複数の位置で前記回転ローラーを前記綱車へ当接させる速度検出器保持台とを有して構成したことを特徴とする。
【００１２】
本発明によれば、複数の位置で前記回転ローラーを前記綱車へ当接させることができるため、調速機の型式が異なる場合においても迅速かつ容易に試験装置の取付けを行うことができる。
【００１３】
さらに、請求項５に係る本発明は、前記速度検出器保持台は、前記速度検出器を固定する面ファスナーを少なくとも１つ有して構成したことを特徴とする。
【００１４】
本発明によれば、作業性に優れた面ファスナーにより速度検出器の着脱を行えるため、迅速かつ容易にエレベーター調速機の試験装置の取付けを行うことができる。
【発明の効果】
【００１５】
本発明のエレベーター調速機の試験装置によれば、試験装置の取付けを迅速かつ容易に行うことができる。
【発明を実施するための最良の形態】
【００１６】
以下、本発明に係るエレベーター調速機の試験装置の一実施の形態を図面に基づいて説明する。
【００１７】
図１は本発明の一実施形態に係るエレベーター調速機の試験装置を調速機に設置した状態を示す全体斜視面図、図２は図1の平面図、図３は図1の側面図、図４は本発明の一実施形態に係わるエレベーター調速機の試験装置の異なる位置への取付け状態を示す全体斜視面図、図５は図１の正面図である。
【００１８】
図１〜図３に示すように、本発明であるエレベーター調速機の試験装置は、エレベーター調速器１の綱車１ｂに当接される回転ローラー３ａを有しこの回転ローラー３ａを介し綱車１ｂの回転速度を検出する速度検出器３と、この速度検出器３を調速器１のフレーム１ａに保持する速度検出器保持具４とを有して構成されている。
【００１９】
また、速度検出器保持具４は、フレーム１ａへの取付け部となる速度検出器保持具フレーム４ａと、この速度検出器保持具フレーム４ａに対し相対位置が可変となるよう取付けられ複数の位置で回転ローラー３ａを綱車１ｂへ当接させるよう速度検出器３を保持する速度検出器保持台７とを備えて構成されている。
【００２０】
そして、速度検出器保持具フレーム４ａは、フレーム１ａの両側縁部１１ａの上方からスライドさせることにより、このフレーム１ａの両側縁部１１ａに係合する一対の折曲げ部５と、エレベーター調速機１のフレーム１ａの上縁部１２ａに当接し垂直方向の位置決めを行うストッパー部６と、ネジ孔９ａと、このネジ孔９ａに螺合するとともに螺進することによりフレーム１ａに当接し突っ張り固定を行う蝶ネジ９とを有して構成されている。
【００２１】
なお、一対の折曲げ部５とストッパー部６は、速度検出器固定冶具フレーム４ａと一体でも良いし、分割された部品であっても良い。また、蝶ネジ９とネジ孔９ａとは複数設けておけば、より強固に試験装置の取付けを行うことができることは勿論である。
【００２２】
さらに速度検出器保持台７は、速度検出器固保持具フレーム４ａに、速度検出器保持台取付用蝶ネジ１０にて回転自由に連結されており、適切な位置で回転ローラー３ａを綱車１ｂへ当接させることができる。
【００２３】
また速度検出器保持台７には、図５に示すように、速度検出器３を固定するため速度検出器保持台７に少なくとも１つ以上、本実施形態では２つの面ファスナー８が設けられている。なお、これらの面ファスナー８は速度検出器保持台７に対して接着、ネジ固定などにより常設してあり、これにより速度検出器３を固定する際、面ファスナー８が落下することを防止し、作業性の悪化を防ぐようになっている。
【００２４】
次に、エレベーター調速機の試験装置の取付け方法について説明する。
【００２５】
エレベーター調速機１に、試験装置を取付けるには、まず速度検出器保持具フレーム４ａの折曲げ部５を、フレーム１ａの上方よりその側縁部１１ａに案内させて下方へ変位させ、この折曲げ部５とフレーム１ａとを係合させる。
【００２６】
ここで、一対の折曲げ部５の間の寸法は、エレベーター調速機フレーム１ａの幅寸法より若干余裕代を有する寸法としてあるので、左右方向への移動が阻止され、取付け位置が確定する。
【００２７】
さらに、速度検出器保持具フレーム４ａを挿入していくと、ストッパー部６の下面がフレーム１ａの上縁部１２ａに当接して、下方への移動が阻止され、上下方向の取付け位置が確定する。
【００２８】
次いで、蝶ネジ９を締めると、この蝶ネジ９がフレーム１ａに当接して突っ張ることに応じて、一対の折曲げ部５がエレベーター調速機フレーム１ａの側縁部１１ａに押付けられるよう押圧力が作用するため、速度検出器保持具４がフレーム１ａに対し強固に固定される。
【００２９】
本実施形態の速度検出器保持具４によれば、一対の折曲げ部５とストッパー部６によりエレベーター調速機フレーム１ａに案内され、かつ上下左右方向への移動が阻止されるので、迅速かつ容易に決められた位置に取付けることができる。
【００３０】
また、速度検出器保持具固定用蝶ネジ９を締めるだけで、速度検出器保持具４が強固に固定されるので、きわめて簡単に取付けることができる。
【００３１】
さらに、速度検出器保持具４は、図４に示すようにその取付け向きを変えることができることから、調速機の型式が異なる場合においても迅速かつ容易に試験装置の取付けを行うことができる。すなわち、速度検出器保持具フレーム４ａを、前述した図１で速度検出器保持具フレーム４ａが取付けられたフレーム１ａと綱車１ｂを介して対向する他方のフレーム１ａに取付けるとともに、速度検出器保持台７の速度検出器保持具フレーム４ａに対する取付け方向を変えるだけで、図中左側に速度検出器３を保持することができる。
【００３２】
また、前述したように異なる型式の調速機に対しても、１つの速度検出器保持台７で対応できるため、試験装置を比較的安価に製作することができる。
【００３３】
さらに、速度検出器３を作業性に優れた面ファスナー８にて速度検出器保持台７に対し着脱できることから、作業をより迅速かつ容易なものとすることができる。
【図面の簡単な説明】
【００３４】
【図１】本発明の一実施形態に係わるエレベーター調速機の試験装置を調速機に設置した状態を示す全体斜視面図である。
【図２】図1の平面図である。
【図３】図1の側面図である。
【図４】本発明の一実施形態に係わるエレベーター調速機の試験装置の異なる位置への取付け状態を示す全体斜視面図である。
【図５】図１の正面図である。
【符号の説明】
【００３５】
１      エレベーター調速機
１ａ    フレーム
１ｂ    綱車
３      速度検出器
３ａ         回転ローラ
４      速度検出器保持具
４ａ    速度検出器保持具フレーム
５      折曲げ部
６      ストッパー部
７      速度検出器保持台
８      面ファスナー
９      蝶ネジ
９ａ    ネジ孔
１０    速度検出器保持台取付用蝶ネジ
１１ａ  速度検出器保持具フレーム側縁部
１２ａ  速度検出器保持具フレーム上縁部
【図１】
2006117359.tif 000003
【図２】
2006117359.tif 000004
【図３】
2006117359.tif 000005
【図４】
2006117359.tif 000006
【図５】
2006117359.tif 000007